(57)【要約】【課題】  スピーカリングが樹脂合流線で破損しても、異音が発生することなく、かつ、スピーカリングに樹脂合流線が発生しても優れた意匠性を有し、さらには、湿気、水分または埃によってスピーカリングが樹脂合流線のところで破損したり、ドアトリムボードまたはスピーカリングにおいて樹脂の色が劣化したりしないドアトリムを提供する。【解決手段】  ドアトリムボード２の意匠面２ａに溝状の第１ライン模様４がスピーカグリル３の下方に形成され、樹脂材料で別体に成形されたスピーカリング７をスピーカグリル３に取り付けた際に、スピーカリング７の成形に際して生じる樹脂合流線７ｃをドアトリムボード２の第１ライン模様４の上端４ａに対応する位置に形成し、もって、樹脂合流線７ｃと第１ライン模様４とが連続的な模様を成す構成としている。【選択図】  図１
2015093649.tif 000002
【特許請求の範囲】
【請求項１】
ドアトリムボードの一部にスピーカグリルを備えるとともに、上記ドアトリムボードの意匠面に、上記スピーカグリルから下方へ延びる溝状の第１ライン模様を備え、他方、樹脂材料を用いてスピーカリングを別体に成形し、該スピーカリングを上記スピーカグリルに取り付けるようにしたドアトリム構造において、上記スピーカリングの成形に際して生じる樹脂合流線を、上記ドアトリムボードの第1ライン模様の上端に対応する位置に形成し、もって、上記樹脂合流線と上記第１ライン模様とが連続的な模様を成すようにしたことを特徴とするドアトリム構造。
【請求項２】
上記ドアトリムボードの第１ライン模様を略直線状に形成し、もって、上記樹脂合流線と上記第１ライン模様とからなる上記連続的な模様を略一直線状を成すようにしたことを特徴とする請求項１に記載のドアトリム構造。
【請求項３】
上記ドアトリムボードの第１ライン模様を、車体上下方向に延びるように形成したことを特徴とする請求項１または２に記載のドアトリム構造。
【請求項４】
上記スピーカリングを、光輝材を有する樹脂材料によって形成したことを特徴とする請求項１〜３のいずれか１項に記載のドアトリム構造。
【請求項５】
上記ドアトリムボードの意匠面に、上記スピーカグリルから上方へ延びる溝状の第２ライン模様を形成し、上記スピーカリングを上記ドアトリムボードに取り付けた際にその外周に渡って形成される溝によって、上記ドアトリムボードの第１ライン模様および第２ライン模様を連結したことを特徴とする請求項１〜４のいずれか１項に記載のドアトリム構造。
【請求項６】
上記スピーカリングはその裏側に爪部を有し、上記ドアトリムボードは上記スピーカグリルの周囲に孔を有し、もって、上記爪部を上記孔に差し込むことにより、上記スピーカリングを上記ドアトリムボードに固定したことを特徴とする請求項１〜５のいずれか１項に記載のドアトリム構造。
【発明の詳細な説明】
【技術分野】
【０００１】
本発明は、ドアトリム構造に関し、詳しくは、ドアトリムボードの一部にスピーカグリルを備えるとともに、上記ドアトリムボードの意匠面に、上記スピーカグリルから下方へ延びる溝状の第１ライン模様を備え、他方、樹脂材料を用いてスピーカリングを別体に成形し、該スピーカリングを上記スピーカグリルに取り付けるようにしたドアトリム構造に関する。
【背景技術】
【０００２】
従来より、自動車のドアトリムとして、ドアトリムボードの下部にスピーカグリルを備えたものがある（例えば、特許文献１参照）。スピーカグリルは、スピーカを覆うもので、一般的には、樹脂材料を用いてドアトリムボードと一体成形される。スピーカグリルには、その外周部を覆うようにスピーカリングが爪部やビスを用いて取り付けられる。スピーカリングは、例えば環状に別体に形成されるもので、樹脂材料を用いて射出成型されるのが一般的である。すなわち、上記スピーカリングを射出成型する場合においては、溶融された樹脂材料を上方のゲートから注入すると、そこで二手に分かれて環状部を左右から回り込むように流動して、下方のいずれか適当な箇所で合流する。
【先行技術文献】
【特許文献】
【０００３】
【特許文献１】特開２００９−２４８６４０号公報
【発明の概要】
【発明が解決しようとする課題】
【０００４】
ところで、上記スピーカリングの射出成型では、樹脂材料の合流部の融着した部分に細い線状の接合痕である樹脂合流線（以下、樹脂合流線という。）が形成された。このような樹脂合流線が形成されると、次のような不具合が生じた。
すなわち、スピーカリングには、スピーカからの空気の振動（音波）がドアトリムボードと締結されている爪部やビスを介して直接的に、または、スピーカグリルの孔を通して間接的に伝達される。このような環境下にある場合、もしスピーカリングの樹脂合流線の付近に気泡やゴミ等が混入されていたりすると、スピーカリングの樹脂合流線で疲労破壊を起こし、微小なき裂が生じる可能性があった。疲労破壊を起こしたスピーカリングがさらに振動を受けると、微小なき裂がさらに大きなき裂に進展する。き裂が大きく成長すると、スピーカからの音は、該き裂部分において共振等したりして、異音を発生させるおそれがあった。
また、スピーカリングには意匠性が求められていることから、該スピーカリングの樹脂合流線が目立つことは好ましくない。樹脂合流線により、スピーカリングの外周周辺近傍部のドアトリムボードの色彩との違いも相まって、スピーカリングの外観が悪化してしまうだけでなく、しいてはドアトリムボード全体の外観までも悪化させてしまう欠点があった。しかも、このような欠点は、アルミニウムなどの光輝材を添加して形成した光輝性を有する樹脂材料を用いてスピーカリングを形成した場合に、特に強く表れる傾向があった。
【０００５】
さらに、樹脂部材であるスピーカリングおよびドアトリムボードはいずれも射出成形されるため、成形時に抜き勾配が必要となることは周知のとおりである。そのため、スピーカリングの外周部、およびドアトリムボードのスピーカリングを取り付ける部所には抜き勾配が設けられている。このように抜き勾配が設けられていると、スピーカリングの外周部と、ドアトリムボードのスピーカリングを取り付ける部所との間には、溝のような隙間が形成される。このような隙間には、湿気、水分または埃が滞留しやすく、滞留し続けることで、樹脂材料によって形成されたドアトリムボードやスピーカリングが劣化するおそれがあった。劣化が進むと、ドアトリムボードよりも形状が小さいスピーカリングの方が優先的に破損するおそれがあり、特に、樹脂合流線の近傍に湿気や水分が滞留することにより、この樹脂合流線で破損するおそれがあった。しかも、このような隙間には、埃が滞留し続けることで、汚れが付着するおそれがあり、これを放置しておくと、ドアトリムボードまたはスピーカリングの汚れが付着した部位において、樹脂の色が劣化したりするおそれがあった。
【０００６】
本発明はこのような実状に鑑みてなされたものであって、その目的は、万が一にスピーカリングが樹脂合流線で破損しても、異音の発生を抑えることができ、かつ、スピーカリングに樹脂合流線が発生しても優れた意匠性を有し、さらには、湿気、水分または埃によってスピーカリングが樹脂合流線のところで破損したり、ドアトリムボードまたはスピーカリングにおいて樹脂の色が劣化したりしないドアトリムを提供することにある。
【課題を解決するための手段】
【０００７】
本発明では、上記課題を解決するため、ドアトリムボードの一部にスピーカグリルを備えるとともに、上記ドアトリムボードの意匠面に、上記スピーカグリルから下方へ延びる溝状の第１ライン模様を備え、他方、樹脂材料を用いてスピーカリングを別体に成形し、該スピーカリングを上記スピーカグリルに取り付けるようにしたドアトリム構造において、上記スピーカリングの成形に際して生じる樹脂合流線を、上記ドアトリムボードの第1ライン模様の上端に対応する位置に形成し、もって、上記樹脂合流線と上記第１ライン模様とが連続的な模様を成す構成としている。
本発明では、上記ドアトリムボードの第１ライン模様を略直線状に形成し、もって、上記樹脂合流線と上記第１ライン模様とからなる上記連続的な模様を略一直線状を成すようにしても良い。
本発明では、上記ドアトリムボードの第１ライン模様を、車体上下方向に延びるように形成しても良い。
本発明では、上記スピーカリングを、光輝材を有する樹脂材料によって形成しても良い。
本発明では、上記ドアトリムボードの意匠面に、上記スピーカグリルから上方へ延びる断面凹形状の第２ライン模様を形成し、上記スピーカリングを上記ドアトリムボードに取り付けた際にその外周に渡って形成される溝によって、上記ドアトリムボードの第１ライン模様および第２ライン模様を連結した構成としても良い。
本発明では、上記スピーカリングはその裏側に爪部を有し、上記ドアトリムボードは上記スピーカグリルの周囲に孔を有し、もって、上記爪部を上記孔に差し込むことにより、上記スピーカリングを上記ドアトリムボードに固定する構成としても良い。
【発明の効果】
【０００８】
本発明によれば、以下の効果を得ることができる。
すなわち、本発明では、ドアトリムボードの一部にスピーカグリルを備えるとともに、上記ドアトリムボードの意匠面に、上記スピーカグリルから下方へ延びる溝状の第１ライン模様を備え、他方、樹脂材料を用いてスピーカリングを別体に成形し、該スピーカリングを上記スピーカグリルに取り付けるようにしたドアトリム構造において、上記スピーカリングの成形に際して生じる樹脂合流線を、上記ドアトリムボードの第1ライン模様の上端に対応する位置に形成し、もって、上記樹脂合流線と上記第１ライン模様とが連続的な模様を成すようにした構成としているので、下記の効果が得られる。
上記スピーカリングにその樹脂合流線のところでき裂が生じても、スピーカからの音は、樹脂合流線に連続するドアトリムボードの意匠面の第１ライン模様に沿って音が下方に逃がされるとともに、上記第１ライン模様を設けたことによるその近傍のドアトリムボードの柔軟性によって吸収される。そのため、スピーカの音に共振して異音が発生したりするおそれを低減することができる。
また、本発明では、上記スピーカリングの樹脂合流線と上記ドアトリムボードの第１ライン模様とが連続的なライン模様を成す構成したことから、上記樹脂合流線と上記トリムボードの第１ライン模様が一体的な模様に見え、しかも、上記樹脂合流線と上記第２ライン模様の色彩の違いが明確にならず、樹脂合流線が目立たないので、上記スピーカリングの外観が良くなるとともに、上記ドアトリムボード全体の外観も良好になり、結果として、上記ドアトリムボードの意匠性を向上させることができる。このような効果は、上記ドアトリムボードの第１ライン模様を、車体上下方向に延びるように形成した場合でも同様であるが、上記連続的なラインを略一直線状にした場合には、この効果はさらに顕著である。
【０００９】
さらに、本発明では、上記ドアトリムボードの意匠面に、上記スピーカグリルから上方へ延びる溝状の第２ライン模様を形成し、上記スピーカリングを上記ドアトリムボードに取り付けた際にその外周に渡って形成される溝によって、上記ドアトリムボードの第１ライン模様および第２ライン模様を連結した構成としても良く、この場合には、上記溝や上記第１ライン模様および第２ライン模様に、湿気、水分または埃が滞留しても、上記溝や上記第１ライン模様および第２ライン模様に沿って車体下方へ流れ、滞留し続けなくなるので、ドアトリムボードやスピーカリングが劣化したり、樹脂合流線で破損したり、樹脂の色が劣化したりすることが無くなる。
さらにまた、本発明では、上記スピーカリングに形成された樹脂合流線が、上記ドアトリムボードの第１ライン模様と一体的なライン模様に見えるようにしたことから、上記スピーカリングを光輝材を有する樹脂材料によって形成してもその樹脂合流線が目立たず、外観の良いスピーカリングを形成することができる。
加えて、本発明では、上記スピーカリングはその裏側に一体的に形成された爪部を有し、他方、上記ドアトリムボードは上記スピーカグリルの周囲に孔を有する構成としている。これにより、上記爪部を上記孔に差し込むことにより、上記スピーカリングを上記ドアトリムボードに簡単にかつ容易に取り付けることができる。
【図面の簡単な説明】
【００１０】
【図１】本発明に係るドアトリム構造の一実施形態を示す正面図である。
【図２】本発明に係るドアトリム構造の一実施形態の要部を一部切り欠いて示す一部断面図である。
【図３】本発明に係るドアトリム構造の一実施形態の要部を示す斜視図である。
【図４】本発明に係るドアトリム構造一実施形態を示すもので、スピーカリングを外した状態にあるドアトリムボードの要部を示す正面図である。
【図５】本発明に係るドアトリム構造一実施形態を示すもので、スピーカリングを外した状態にあるドアトリムボードの要部を示す斜視図である。
【図６】本発明に係るドアトリム構造の一実施形態を示し、スピーカリングを斜め後方から見た様子を示す斜視図である。
【図７】本発明に係るドアトリム構造の他の実施形態を示す正面図である。
【図８】本発明に係るドアトリム構造の他の実施形態を示す正面図である。
【図９】本発明に係るドアトリム構造の他の実施形態を示す正面図である。
【図１０】本発明に係るドアトリム構造の他の実施形態を示す正面図である。
【発明を実施するための形態】
【００１１】
以下、本発明に係るドアトリム構造の実施形態について、図１〜図６を参照しながら詳細に説明する。
本実施形態に係るドアトリム構造では、自動車のフロントドア１に適用されたものであり、該フロントドアのドアトリムボード２の一部にスピーカグリル３を備え（図１〜図４参照）、該ドアトリムボード２の意匠面２ａ上のスピーカグリル３の下側と上側にそれぞれ第１ライン模様４および第２ライン模様５が形成されている（図１参照）。第１ライン模様４および第２ライン模様５は、断面凹形状の細い溝状の模様である。第１ライン模様５は、スピーカグリル３から車両斜め前方下方へ向けて略直線状に延びるように形成されたライン状の模様である。第２ライン模様５は、その中央部分５ａが地面に略平行に車両前後方向に延びる略直線状のライン状の模様で、その前方部分５ｂがスピーカグリル３の中央に向かって湾曲され、その後方部分５ｃがドア１のアームレスト６側、すなわち上方へ向かって湾曲されている。他方、樹脂材料で別体に円環状のスピーカリング７が成形され、該スピーカリングがドアトリムボード２のスピーカグリル３の周囲に取り付けられるようになっている（図１〜図３参照）。図２において、Ａはスピーカグリル３で覆われる図示しないスピーカの配置部位を示す。
【００１２】
ここで、スピーカリング７の射出成型について、図６を参照しながら説明する。この場合の射出温度は190〜210℃、金型温度は50〜70℃であるのが好ましいが、とくに限定されない。溶融された樹脂材料を、スピーカリング７の上方に突出された頭部７ａの頂点に位置する図示しない射出成型機のゲートＢから注入すると、そこで二手に分かれてその環状部７ｂに対応する射出成型機の環状部Ｃを左右から回り込むように流動して合流し、最後に接合痕である樹脂合流線７ｃが形成される。同図において、Ｂは射出成型機のゲートの位置を概念的に示し、Ｃはスピーカリング７の環状部７ｂに対応する射出成型機の環状部の位置および形状を概念的に示し、Ｄは溶融された樹脂材料が射出成型機の上記環状部を流れる方向を示している。樹脂合流線７ｃは、図６に示すように、Ｅで示す円で囲む部分であって、スピーカリング７の最下部の左右対称線Ｆ上に形成される。スピーカリング７は、その頭部７ａと、環状部７ｂに複数の爪部７ｄを備え（図６参照）、これに対応して、ドアトリムボード２のスピーカグリル３の外周に渡って形成された環状凹部８内に複数の孔２ｂが形成されている（図４および図５参照）。スピーカリング７は、その爪部７ｄを、ドアトリムボード２の孔２ｂに差し込むことにより、該ドアトリムボードに簡単にかつ容易にドアトリムボード２に取り付けることができ、スピーカグリル３の周りを覆うことで、スピーカグリル３周囲の外観を良好にすることができる。
【００１３】
本実施形態では、スピーカリング７の成形に際して生じた樹脂合流線７ｃを、ドアトリムボード２の第１ライン模様４の上端４ａに対応する位置に形成したことから、樹脂合流線７ｃとドアトリムボード２の第１ライン模様４は、連続的な模様を成している。これにより、万が一、スピーカリング７の樹脂合流線７ｃ近傍部分に疲労破壊等によってき裂が生じても、スピーカからの音は、樹脂合流線７ｃに連続するドアトリムボード２の第１ライン模様４に沿って音が下方に逃がされるとともに、第１ライン模様４を設けたことによるその近傍のドアトリムボード２の柔軟性によって吸収される。そのため、スピーカの音に共振して異音が発生したりするおそれを低減することができる。
また、本実施形態では、上記したように樹脂合流線７ｃと第１ライン模様４とが連続的な模様を成すことから、樹脂合流線７ｃと第１ライン模様４は一体的な模様に見え、しかも、樹脂合流線７と第１ライン模様４の色彩の違いが明確にならず、樹脂合流線７ｃも目立たないので、スピーカリング７の外観が良くなるとともに、ドアトリムボード２の外観も良好になり、結果として、ドアトリムボード２の意匠面２ａの意匠性を向上させることができる。図１に示すように、ドアトリムボード２の第２ライン模様５の前方部分５ｂと樹脂合流線７ｃと第１ライン模様４とからなる連続的な模様を略一直線状にした場合には、この効果はさらに顕著である。
【００１４】
さらに、本実施形態では、スピーカリング７をドアトリムボード２に取り付けた際には、その外周に渡って溝のような隙間９が形成される。該隙間９によって、ドアトリムボード２の第１ライン模様４および第２ライン模様５を連結したことから、隙間９や第１ライン模様４および第２ライン模様５に、湿気、水分または埃が滞留しても、隙間９や第１ライン模様４および第２ライン模様５に沿って流れ、滞留し続けなくなるので、ドアトリムボード２やスピーカリング７が劣化したり、樹脂合流線７ｃのところで破損したり、樹脂の色が劣化したりすることが無くなる。このような効果は、図１に示すようにドアトリムボード２の第１ライン模様４を略直線状に形成するか、図７に示すように車体上下方向に延びるように形成するとさらに顕著である。
さらにまた、本実施形態では、スピーカリング７に形成された樹脂合流線７ｃが、ドアトリムボード２の第１ライン模様４と一体的に見えるようになることから、スピーカリング７を例えばアルミニウムなどの光輝材を添加して形成した光輝性有する樹脂材料によって形成した場合でも、その樹脂合流線７ｃが目立たず、外観の良いスピーカリング７を形成することができる。
【００１５】
なお、本実施形態は、上記した例に限らず、とくに、ドアトリムボード２の第１ライン模様４は、図８に示すように湾曲して車体下方へ延びるようにしても良く、図９に示すように第１ライン模様４を一端下方に延ばして途中で二手に分かれるように形成してもよく、あるいは、図１０に示すように第１ライン模様４を複数形成し、一方の第１ライン模様４を樹脂合流線７ｃに連続させるようにしても良く、要は、樹脂合流線７ｃと第１ライン模様４の上端４ａが連続して一体的に見えるように構成されれば、第１ライン模様４はいかなる形状に形成しても良い。
【００１６】
以上、本発明の実施の形態につき述べたが、本発明は既述の実施の形態に限定されるものではなく、本発明の技術的思想に基づいて各種の変形及び変更が可能である。
【符号の説明】
【００１７】
１  フロントドア
２  ドアトリムボード
２ａ  意匠面
２ｂ  孔
３  スピーカグリル
４  第１ライン模様
４ａ  上端
５  第２ライン模様
５ａ  中央部分
５ｂ  前方部分
５ｃ  後方部分
６  アームレスト
７  スピーカリング
７ａ  頭部
７ｂ  環状部
７ｃ  樹脂合流線
７ｄ  爪部
８  環状凹部
９  隙間
Ａ  スピーカの配置部位
Ｂ  射出成型機のゲートの位置
Ｃ  環状部の位置および形状
Ｄ  溶融樹脂の流動方向
Ｅ  円
Ｆ  左右対称線
【図１】
2015093649.tif 000003
【図２】
2015093649.tif 000004
【図３】
2015093649.tif 000005
【図４】
2015093649.tif 000006
【図５】
2015093649.tif 000007
【図６】
2015093649.tif 000008
【図７】
2015093649.tif 000009
【図８】
2015093649.tif 000010
【図９】
2015093649.tif 000011
【図１０】
2015093649.tif 000012